(57)【特許請求の範囲】
【請求項１】
外部からの電力により作動するポンプモータにより駆動される給油ポンプを有する給油機構と、この給油機構を収納する下部ケースと、この下部ケースの上方に密閉構造で支柱を介して取付けられ前記ポンプモータの駆動を制御する給油制御用の制御装置及び給油データ表示器を収納する上部ケースとを備える給油装置において、
前記上部ケースは、枠状に形成され正面側に前記給油データ表示器を取付けるための開口を形成した上部ケース本体の左右側面に側板が設けられ、下部底面に底板が設けられ、前記支柱と別体の前記左右側面の側板の間に垂直に設けられた基板を介して、振動を検知するためにケース内に導電性を有する球状体が第１の接点に接続されたワイヤにより揺動可能に吊り下げられ、前記ケースの内面には前記球状体が揺動したとき接触する第２の接点が設けられた振動センサが前記ケースの軸心が垂直になるように取付けられ、前記制御装置は該振動センサから受信するオン・オフの振動信号が一定時間以上継続したことを判断して前記ポンプモータへの電力供給の停止信号をモータ制御スイッチへ出力するとともに、前記振動センサから受信する振動信号により、該制御装置自身への電力供給の停止信号をリレーユニットへ出力し、かつ前記振動センサから受信する前記給油データ表示器には、前記ポンプモータへの電力供給が停止したとき、給油が停止した旨の表示を行うことを特徴とする給油装置。
【発明の詳細な説明】
【０００１】
【発明の属する技術分野】
本発明は、地震や自動車の衝突により衝撃を受けたとき、給油機構や制御装置への電力の供給を遮断する機能を備えた給油装置に関するものである。
【０００２】
【従来の技術】
従来、給油所に設置される給油装置においては、地震や自動車の衝突により衝撃が加わった場合に、安全のために電力の供給を遮断するようにしている。例えば、特開平８−２５８９００号公報には、防爆ボックス内に振動応動スイッチと、リレーユニットとを一体的に収納した給油装置用感振電源遮断装置が開示されている。このような給油装置用感振電源遮断装置は、給油ポンプや流量計等の給油機構が収納された下部ケースの上方に、給油制御用の制御装置や給油データ表示器を収納した上部ケースが支柱間に設けられ、この上部ケース内において振動応動スイッチを収納した防爆ボックスが支柱にブラケットを介して直接に取付けられている。
【０００３】
【発明が解決しようとする課題】
従来の振動応動スイッチは、耐圧防爆ケース内に収納され、この耐圧防爆ケースが支柱にブラケットを介して直接に取付けられているため、給油ノズルの掛け外し、あるいは道路を走行する大型自動車等の振動を直接に受け易いとともに、地震や自動車の衝突による衝撃から生じる振動と区別することが難しく誤動作をするおそれがあった。
【０００４】
本発明は上記事情に鑑みなされたもので、誤動作を防止できるとともに振動センサの取付けも容易になる給油装置を提供することを目的とする。
【０００５】
【課題を解決するための手段】
上記目的を達成するために請求項１に記載の発明にあっては、外部からの電力により作動するポンプモータにより駆動される給油ポンプを有する給油機構と、この給油機構を収納する下部ケースと、この下部ケースの上方に密閉構造で支柱を介して取付けられ前記ポンプモータの駆動を制御する給油制御用の制御装置及び給油データ表示器を収納する上部ケースとを備える給油装置において、前記上部ケースは、枠状に形成され正面側に前記給油データ表示器を取付けるための開口を形成した上部ケース本体の左右側面に側板が設けられ、下部底面に底板が設けられ、前記支柱と別体の前記左右側面の側板の間に垂直に設けられた基板を介して、振動を検知するためにケース内に導電性を有する球状体が第１の接点に接続されたワイヤにより揺動可能に吊り下げられ、前記ケースの内面には前記球状体が揺動したとき接触する第２の接点が設けられた振動センサが前記ケースの軸心が垂直になるように取付けられ、前記制御装置は該振動センサから受信するオン・オフの振動信号が一定時間以上継続したことを判断して前記ポンプモータへの電力供給の停止信号をモータ制御スイッチへ出力するとともに、前記振動センサから受信する振動信号により、該制御装置自身への電力供給の停止信号をリレーユニットへ出力し、かつ前記振動センサから受信する前記給油データ表示器には、前記ポンプモータへの電力供給が停止したとき、給油が停止した旨の表示を行うことを特徴とするものである。振動センサが支柱と別体に設けられた基板を介して上部ケースに取付けられることで、誤動作を防止できるとともに振動センサの取付けも容易になる。また、制御装置自身へ供給される電力を停止することができ、地震等の横揺れを検知することができ、振動センサのオン・オフの振動信号が一定時間以上継続することを判断して地震や自動車の衝突を他の振動と区別することが可能になり、さらには、給油データ表示器の表示により地震等の原因で電力の供給が停止していることを知ることができる。
【００１１】
【発明の実施の形態】
以下、本発明を図示の一実施形態により具体的に説明する。図1〜図５は本発明第1実施形態の給油装置を説明する図であり、図１は給油装置の構成を説明するブロック図、図２は給油装置の正面図、図３は給油装置の上部ケースの振動センサ取付け状態を説明する図、図４は電源遮断装置の構成を説明するブロック図、図５は振動センサの断面図である。
【００１２】
これらの図において、本発明第１実施形態の給油装置１０は、例えば、レギュラーガソリン、ハイオクガソリン及び軽油のいずれかの油種を給油する地上設置型の装置であり、その本体ケース１１には、それぞれの油種の給油機構を構成するポンプモータ１２で駆動される給油ポンプ１３、流量パルス発信器１４を有する流量計１５が順次地下タンクに連通する給油管に接続され、さらに流量計１５には、その流出口に連通する配管１６を介して先端に給油ノズル１７を有する給油ホース１８が接続されている。本体ケース１１は、ベースプレート３７の上部に配置された給油機構を収納する下部ケース２０、その上部に配置された上部ケース２１、下部ケース２０及び上部ケース２１の左右に設けられた支柱２２ａ，２２ｂ、支柱２２ａ，２２ｂの上端部間に設けられた給油ホース１８を吊り下げる頂部ケース２３等とから構成されている。上部ケース２１と頂部ケース２３との間には空間が形成され、頂部ケース２３の底部には下方を照明するための照明ケース２４が設けられている。給油ノズル１８は、下部ケース２０の正面側に設けられたノズル掛け１９に掛けられるようになっている。また、ノズル掛け１９の近傍には、ノズルスイッチ３８が設けられている。
【００１３】
上部ケース２１の正面側には、中央部に給油データ表示器２６、右側にデータ入出力装置２５、左側にビデオスクリーン２７が設けられている。給油データ表示器２６は、給油料金を表示する金額表示部２６ａと、その下部に設けられた給油量を表示する給油量表示部２６ｂと、その下部に設けられた単価を表示する単価表示部２６ｃとから構成されている。データ入出力装置２５は、各種のカードを読み取るカードリーダ２５ａと、データ入力用のキーボード２５ｂと、キーボード２５ｂ等で入力したデータを表示するデータ表示部２５ｃと、伝票発行等を行うプリンタ２５ｄ等とから構成されている。ビデオスクリーン２７は、給油中にキャンぺーン情報、交通情報あるいは宣伝情報を表示するものである。
【００１４】
また、本体ケース１１には、各部を制御する制御装置３０が設けられており、ノズルスイッチ３８からの給油要求信号によりポンプモータ１２に設けられたモータ制御スイッチ１２ａをオンしてポンプモータ１２に動力線３２の電力を供給し、給油により流量パルス発信器１４から出力される流量パルス信号を積算して給油データ表示器２６に給油量として表示し、ノズルスイッチ３８からの給油停止信号によりモータ制御スイッチ１２ａをオフしてポンプモータ１２への電力を断ち、さらにデータ入出力装置２５との間でデータを送受信し、かつビデオスクリーン２７の表示を制御するよう動作する。また、制御装置３０は、後に詳細に説明する振動センサ４０からのオン・オフの振動信号を受信して、このオン・オフが一定時間、例えば、４秒以上継続したときに地震と判断してモータ制御スイッチ１２ａ及びリレーユニット３４へ電力供給の停止信号を出力する。さらに、制御装置３０は、電力の供給が停止したときに給油データ表示器２６に給油が停止した旨の表示ができるように電池等が設けられている。
【００１５】
さらに、本体ケース１１には、地震等の揺れを検知して電源を遮断する機能として電源遮断装置２８が設けられている。この電源遮断装置２８において、制御装置３０に駆動電力を供給する電源線３１には、リレーユニット３４と、元電源スイッチ３３とが設けられ、振動センサ４０の検出したオン・オフの振動信号を制御装置３０が判断して、電源線３２の電力供給の停止信号をモータ制御スイッチ１２ａへ出力すると同時に電源線３１の電力供給の停止信号をリレーユニット３４へ出力する。リレーユニット３４は、制御装置３０からの電力供給の停止信号を受信したとき電源線３１の遮断状態を維持し復帰スイッチ３５の押し釦３６を押すことで遮断状態を解除する回路構成になっている。
【００１６】
振動センサ４０は、密閉され円筒状に形成されたケース４１内の空間４２に、上部中央の第１の接点４３から金属ワイヤ４４で導電性を有する球状体４５が吊り下げられ、この球状体４０が揺れてケース４１内面側に当接する円周部分に第２の接点４６が設けられたものである。この振動センサ４０は、図３に示すように、例えば、電源遮断装置２８の一部を構成する基板４７に取付けられており、この基板４７が上部ケース２１に、ケース４１の軸心が垂直になるように取付けられる。上部ケース２１は、枠状に形成され正面側にデータ入出力装置２５、給油データ表示器２６あるいはビデオスクリーン２７を取付けるための開口を形成した上部ケース本体２１ａの左右側面に側板２１ｂ、２１ｂが設けられ、下部底面に底板２１ｃが設けられ、全体として密閉構造に形成されて支柱２２ａ，２２ｂ間に取付けられている。
【００１７】
上記構成の給油装置１０では、元電源スイッチ３３をオンして通常の給油が可能な状態において、地震あるいは自動車の衝突により本体ケース１１へ衝撃が加わると、振動センサ４０はケース４１内においてワイヤ４４で吊り下げられた球状体４５が横揺れを開始し、側面側に設けられた第２の接点４６との接触と離反とを繰り返すことで、第１の接点４３と第２の接点４６との間が振動信号としてオン・オフ状態を繰り返す。この振動センサ４０の振動信号は、制御装置３０により受信され、オン・オフが一定時間継続したときに制御装置３０から、電力供給の停止信号がポンプモータ１２に設けられたモータ制御スイッチ１２ａ、及びリレーユニット３４へ出力される。この電力供給の停止信号により、モータ制御スイッチ１２ａ及びリレーユニット３４がオフとなって、電源線３２，３１からの電力の供給が停止してポンプモータ１２の駆動が停止し、制御装置３０への電力の供給が停止する。この電力の供給が停止したとき、給油データ表示器２６には、制御装置３０に設けられた電池等を電源として、給油が停止した旨の表示が行われ、これにより地震や自動車の衝突等により電源の供給が停止したことを知ることができる。振動センサ４０は、基板４７に取付けられ、この基板４７が密閉構造で左右の支柱２２ａ，２２ｂ間に設けられた上部ケース２１に取付けられているため、従来のように支柱からブラケットで直接に設けられる場合より、給油ノズル１７の掛け外しの振動、あるいは道路を走行する大型自動車等の振動を直接に受けることがなくなり誤動作を防ぐことができ、かつ振動センサ４０の取付けの自由度を大きくすることができる。また、振動センサ４０からの振動信号を制御装置３０が、一定時間継続したことを判断して停止信号を出力するため、給油ノズル１７の掛け外しの振動、あるいは道路を走行する大型自動車等の振動と、地震や自動車の衝突による衝撃から生じる振動を区別することが可能になり、さらに誤動作を防止することができる。なお、本実施形態のリレーユニット３４は、制御装置３０からの停止信号によりオフ状態が維持されるが、再開するときには、元電源スイッチ３３により電力の供給を断って点検を行い、異常のないことを確認してから、復帰スイッチ３５の押し釦３６を押すことで元の状態に戻すことができる。
【００１８】
図６は本発明第２実施形態の給油装置の振動センサの断面図である。
【００１９】
この振動センサ５０は、密閉され円筒状に形成されたケース５１内の空間５２の下部側に、導電性ばね板により構成され、上部側に位置する可動電極５５と、この可動電極５５の上下関係になるように下部側に位置する固定電極５６とが、可動電極５５の先端が撓んで固定電極５６に接触するようにケース５１下部に片持ちで固定されるとともに、可動電極５６を固定電極５６に常時弾接させ、かつ移動可能な球状移動体５３が可動電極５６上に配置され、さらに横方向の振動が生じた場合、ケース５１の内側面部分には球状移動体５３が乗り上げ可動電極５６をその弾性により固定電極５６から離間させることができる傾斜角度を有するテーパ部５４が形成されたものである。給油装置として他の構成は第１実施形態と同様である。
【００２０】
上記構成の振動センサ５０では、ケース５１内の球状移動体５３が、地震等の縦振動を受けると跳ね上がるため、可動電極５６の先端が自身の弾性により上方に移動して固定電極５６から離れてオフになり、再び球状移動体５３が落ちてきて可動電極５６の先端が固定電極５６に接触してオンになる状態を繰り返す。したがって、本実施形態の振動センサ５０を給油装置に使用することで、縦振動を検出することができ、第１実施形態と同様に、振動センサ５０からの振動信号を制御装置３０が、一定時間継続したことを判断して停止信号を出力することで、給油ノズル１７の掛け外しの振動、あるいは道路を走行する大型自動車等の振動と、地震や自動車の衝突による衝撃から生じる振動を区別することが可能になり誤動作を防止することができる。
【００２１】
なお、上記実施形態において、ポンプモータ１２及び制御装置３０への電力供給を停止しているが、少なくともポンプモータ１２への電力供給を停止すればよく、制御装置３０への電力供給を停止しないようにすることもできる。これにより、制御装置３０自身に電池等の電源を設けなくても給油データ表示器２６に給油が停止した旨の表示をすることができる。また、制御装置３０による振動センサ４０，５０からの振動信号の判断は、振動の性質に応じて適宜に決めることができる。
【００２２】
【発明の効果】
以上説明したように本発明の給油装置では、外部からの電力により作動するポンプモータにより駆動される給油ポンプを有する給油機構を下部ケースへ収納し、この下部ケースの上方に密閉構造で支柱を介して取付けられポンプモータの駆動を制御する給油制御用の制御装置及び給油データ表示器を収納する上部ケースを設け、上部ケースには、支柱と別体に設けられた基板を介して振動を検知する振動センサを取付け、制御装置は振動センサから受信する振動信号によりポンプモータへの電力供給の停止信号をモータ制御スイッチへ出力することで、振動センサが支柱と別体に設けられた基板を介して上部ケースに取付けられるため、誤動作を防止できるとともに振動センサの取付けも容易になる。
【図面の簡単な説明】
【図１】本発明第1実施形態の給油装置の構成を説明するブロック図である。
【図２】本発明第1実施形態の給油装置の正面図である。
【図３】本発明第1実施形態の給油装置の上部ケースの振動センサ取付け状態を説明する図である。
【図４】本発明第1実施形態の電源遮断装置の構成を説明するブロック図である。
【図５】本発明第1実施形態の振動センサの断面図である。
【図６】本発明第２実施形態の給油装置の振動センサの断面図である。
【符号の説明】
１０  給油装置
１１  本体ケース
１２  ポンプモータ
１２ａ  モータ制御スイッチ
１３  給油ポンプ
１４  流量パルス発信器
１５  流量計
１６  配管
１７  給油ノズル
１８  給油ホース
１９  ノズル掛け
２０  下部ケース
２１  上部ケース
２１ａ  上部ケース本体
２１ｂ  側板
２１ｃ  底板
２２ａ，２２ｂ  支柱
２３  頂部ケース
２４  照明ケース
２５  データ入出力装置
２５ａ  カードリーダ
２５ｂ  キーボードキー
２５ｃ  データ表示部
２５ｄ  プリンタ
２６  給油データ表示器
２６ａ  金額表示部
２６ｂ  給油量表示部
２６ｃ  単価表示部
２７  ビデオスクリーン
２８  電源遮断装置
３０  制御装置
３１  電源線
３２  動力線
３３  元電源スイッチ
３４  リレーユニット
３５  復帰スイッチ
３６  操作ボタン
３７  ベースプレート
３８  ノズルスイッチ
４０  振動センサ
４１  ケース
４２  空間
４３  第１の接点
４４  金属ワイヤ
４５  球状体
４６  第２の接点
４７  基板
５０  振動センサ
５１  ケース
５２  空間
５３  球状移動体
５４  テーパ部
５５  可動電極
５６  固定電極
【図１】
0003890588.tif 000002
【図２】
0003890588.tif 000003
【図３】
0003890588.tif 000004
【図４】
0003890588.tif 000005
【図５】
0003890588.tif 000006
【図６】
0003890588.tif 000007